(57)【要約】【課題】遊技機の遊技機枠から外部に球を排出する機外排出装置の交換容易化を図る。【解決手段】機外排出装置２が遊技機枠１から排出される球を遊技機枠１の右側部から中央の方向に向けて誘導する横排出通路９１と、横排出通路９１から排出される球を下方に誘導して遊技機枠１から下方に排出する縦排出通路９２とを備え、横排出通路９１が電源装置６よりも上部に配置されて可動枠５の裏面に取り付けられ、機外排出装置２の縦排出通路９２が電源装置６と発射払出制御装置７との間の隙間に配置されて可動枠５の裏面に取り付けられている。【選択図】図１
2006174888.tif 000002
【特許請求の範囲】
【請求項１】
遊技機枠から排出される球を遊技機枠の左側部または右側部から中央の方向に向けて誘導する横排出通路と、横排出通路から排出される球を下方に誘導して遊技機枠から下方に排出する縦排出通路とを備え、横排出通路が複数の電気部品よりも上部に配置されて可動枠の裏面に設けられ、縦排出通路が複数の電気部品の間に形成された隙間に配置されて可動枠の裏面に設けられたことによって、横排出通路および縦排出通路が複数の電気部品と干渉しないように可動枠の裏面に設けられたことを特徴とする遊技機の機外排出装置。
【請求項２】
縦排出通路が複数の電気部品よりも裏側に突出しない配置となるように構成されたことを特徴とする請求項１記載の遊技機の機外排出装置。
【請求項３】
横排出通路および縦排出通路が複数の電気部品よりも裏側に突出しない配置となるように構成されたことを特徴とする請求項１記載の遊技機の機外排出装置。
【請求項４】
横排出通路と縦排出通路とが前側通路構造体と後側通路構造体とから構成されたことを特徴とする請求項１記載の遊技機の機外排出装置。
【発明の詳細な説明】
【技術分野】
【０００１】
本発明は、遊技機の遊技機枠から外部に球を排出する機外排出装置に関する。
【背景技術】
【０００２】
遊技機の１つであるパチンコ機の機外排出装置には、遊技盤から遊技盤の裏面に排出された入賞球およびアウト球を遊技機枠の外部に排出する通路を１本化している。しかしながら、複数の制御装置からなる電気部品が１本化した機外排出装置の裏側に重ね合わせられて取り付けられた構造であるため、機外排出装置や複数の電気部品のそれぞれが個別に交換される場合、機外排出装置や複数の電気部品のそれぞれが互いに邪魔して、交換作業が面倒であるという欠点がある。
【特許文献１】特開２０００−２６２７０７号公報
【発明の開示】
【発明が解決しようとする課題】
【０００３】
発明が解決しようとする問題点は、機外排出装置や複数の電気部品の交換が面倒であるという点である。
【課題を解決するための手段】
【０００４】
本発明に係る遊技機の機外排出装置は、遊技機枠から排出される球を遊技機枠の左側部または右側部から中央の方向に向けて誘導する横排出通路と、横排出通路から排出される球を下方に誘導して遊技機枠から下方に排出する縦排出通路とを備え、横排出通路が複数の電気部品よりも上部に配置されて可動枠の裏面に設けられ、縦排出通路が複数の電気部品の間に形成された隙間に配置されて可動枠の裏面に設けられたことによって、横排出通路および縦排出通路が複数の電気部品と干渉しないように可動枠の裏面に設けられたことを最も主要な特徴とする。本発明に係る遊技機の機外排出装置において、縦排出通路が複数の電気部品よりも裏側に突出しない配置となるように構成されたり、横排出通路および縦排出通路が複数の電気部品よりも裏側に突出しない配置となるように構成されたり、横排出通路と縦排出通路とが前側通路構造体と後側通路構造体とから構成されたりしてもよい。
【発明の効果】
【０００５】
本発明に係る遊技機の機外排出装置は、横排出通路が複数の電気部品よりも上部に配置されて可動枠の裏面に設けられ、縦排出通路が複数の電気部品の間に形成された隙間に配置されて可動枠の裏面に設けられたことによって、機外排出装置と複数の電気部品それぞれが個別に交換される場合、機外排出装置と複数の電気部品のそれぞれが互いに邪魔しないので、交換作業を容易かつ適切に行うことができるという利点がある。縦排出通路が複数の電気部品よりも裏側に突出しない配置となるように構成されたり、横排出通路および縦排出通路が複数の電気部品よりも裏側に突出しない配置となるように構成されたりすれば、遊技機枠が遊技機設置構造体の取り付けられた場合、機外排出装置が遊技機設置構造体に設けられた付帯設備に干渉しないという利点がある。横排出通路と縦排出通路とが前側通路構造体と後側通路構造体とから構成されれば、横排出通路と縦排出通路とが一体の通路構造体から構成された場合に比べ、機外排出装置の構造が簡単となるという利点がある。
【発明を実施するための最良の形態】
【０００６】
図１乃至図８は、発明を実施するための最良の形態である。図１は、遊技機の機外排出装置２を分解して裏側から示す。図２は、前側通路構造体３を裏側から示す。図３のａ図は、後側通路構造体４を後側から示す。図３のｂ図は、後側通路構造体４を前側から示す。図４は、前側通路構造体３が取り付けられた可動枠５を後側から示す。図５は、機外排出装置２が取り付けられた、可動枠５を後側から示す。図６は、図５をＢ−Ｂ線に沿い切断した断面を示す。図７は、図５をＣ−Ｃ線に沿い切断した断面を示す。図８は、パチンコ機の遊技機枠１と遊技盤１３１とを分解して示す。この明細書において、「前」、「後」、「裏」、「左」、「右」、「上」、「下」の方向は、図８の状態に遊技機枠１および遊技盤１３１を置いて矢印Ａで示す前側から見た場台に特定される方向である。「後」と「裏」とは同じ方向である。
【０００７】
図１を参照し、パチンコ機の遊技機枠１から外部に球を排出する機外排出装置２の構造について説明する。機外排出装置２は、前側通路構造体３と後側通路構造体４とが互いに組み合わされることによって、遊技機枠１から外部に球を排出する通路を形成する。前側通路構造体３の構造は、図２で具体的に後述する。後側通路構造体４は、図３で具体的に後述する。機外排出装置２は、遊技機枠１から排出される球を遊技機枠１の右側部から中央の方向に向けて誘導する横排出通路９１と、横排出通路９１から排出される球を下方に誘導して遊技機枠１から下方に排出する縦排出通路９２とを備え、可動枠５の裏面に設けられた電源装置６や発射払出制御装置７からなる電気部品と干渉しないように、可動枠５の裏面に設けられる。横排出通路９１、縦排出通路９２の構造は、図６で後述する。可動枠５の裏面には取付台８が可動枠５の裏側から図外の止ねじで取り付けられ、電源装置６が右側に位置し、発射払出制御装置７が左側に位置するように、電源装置６および発射払出制御装置７が取付台８に左右方向に併設されて取り付けられる。機外排出装置２の横排出通路９１が電源装置６よりも上部に配置され、機外排出装置２の縦排出通路９２が電源装置６と発射払出制御装置７との間の隙間に配置される。これによって、電源装置６、発射払出制御装置７、機外排出装置２のそれぞれが個別に交換される場合、電源装置６、発射払出制御装置７、機外排出装置２のそれぞれが互いに邪魔しないので、交換作業を容易かつ適切に行うことができる。
【０００８】
最良の形態では、球払出装置の誘導通路構造体９が可動枠５の裏面に右側部に位置して設けられ、この誘導通路構造体９の球抜通路１０から排出される抜球と呼ばれる球１１と、遊技盤１３１から排出される入賞球やアウト球と呼ばれる球１２とを、機外排出装置２が可動枠５の裏面で集合して機外に排出する構造を例示する。よって、機外排出装置２では、横排出通路９１が可動枠５の裏面で抜球と入賞球およびアウト球を集合して可動枠５の右側から中央の方向に誘導し、縦排出通路９２が横排出通路９１で集合された抜球と入賞球およびアウト球を可動枠５の中央で下方に誘導して機外に排出する。抜球と呼ばれる球１１は矢印Ｘ１で示す経路を通り、入賞球やアウト球と呼ばれる球１２は矢Ｘ２で示す経路を通る。球払出装置における球抜通路１０の左側に隣接された球払出通路１３から排出される賞球や貸球と呼ばれる球１４は、矢印Ｘ３で示す経路を通り、払出球中継樋１５を経由して可動枠５の前側に誘導される。球払出装置については、図５で後述する。遊技盤１３１については、図８で後述する。
【０００９】
可動枠５には、球払出装置の球払出通路１３から排出された球を機外排出装置２や払出球中継樋１５に導くために、方向切替通路１６や枠側受口１７が、盤収納室１８における右側部に位置する背壁１９の下方に設けられる。可動枠５の前壁２０には、枠側膨出部２１が、前壁２０から裏側に突出する。枠側膨出部２１は、可動枠５の前壁２０の後面から後側に窪み、中継樋収納部２２を横長な方形に囲む形状である。枠側膨出部２１の前後左右方向に延びる上壁２４には、方向切替通路１６や枠側受口１７が形成される。方向切替通路１６が枠側受口１７の右側に位置する。方向切替通路１６は、枠側膨出部２１における上壁２４の上面から下方に窪み、枠側膨出部２１における上壁２４の後縁部から上下左右方向に延びる裏壁２５の裏面にも開口する。方向切替通路１６の底面は、抜球なる球１１が上方から下方に行くにしたがって裏側に排出するように誘導する弧面として形成される。枠側受口１７は、枠側膨出部２１の上壁２４に、上下方向への貫通孔として形成される。
【００１０】
枠側膨出部２１における上壁２４の上面および裏壁２５には、機外排出取付部２６が設けられる。機外排出装置２は、機外排出取付部２６を収納するために、上壁２４の上面から下方に前側横壁４２の上下方向の厚さ以上に前後左右方向に平坦に窪み、裏壁２５の裏面から前側に前側縦壁４１の前後方向の厚さ以上に上下左右方向に平坦に窪む。盤棚２７と機外排出取付部２６とをつなぐ枠側段差部２８には、位置決め部２９が設けられる。位置決め部２９は、前側通路構造体３の位置決め部５１を後側から収納する窪みである。盤棚２７には、凹部３１および枠側フランジ部３２が設けられる。凹部３１は、前側通路構造体３の中球受部４３を上方から収納する窪みである。枠側フランジ部３２は、前側通路構造体３の外球受部４４を上方から受け止める壁である。枠側膨出部２１における裏壁２５の裏面には、ねじ締結部３３が設けられる。機外排出取付部２６の裏面には、ねじ締結部３４が設けられる。枠側フランジ部３２の裏面には、ねじ締結部３５が設けられる。取付台８の裏面には、ねじ締結部３６が設けられる。
【００１１】
図２を参照し、前側通路構造体３の構造について説明する。前側通路構造体３は、前側縦壁４１、前側横壁４２、中球受部４３、外球受部４４、前側左縦壁４５、前側右縦壁４６、前側段差部４７、前側フランジ部４８、位置決め部４９；５０；５１、ねじ挿入部５２；５３；５４、ねじ締結部５５を、一体に備えた形状である。前側縦壁４１は、上下左右方向に平坦な板面を有し、横長な前側横片部５６と、前側横片部５６の左側部から下方に突出する縦長な前側縦片部５７とを備える。前側横壁４２は、遊技盤１３１から排出される入賞球やアウト球と呼ばれる球を受ける部分であり、前側縦壁４１の前側横片部５６における前縁部から前側に突出する横長な板状であって、右側から左側に下り傾斜となる右斜面部５８と、左側から右側に下り傾斜となる中斜面部５９とを備える。右斜面部５８の左縁部が中斜面部５９の左縁部よりも下方に位置し、右斜面部５８の左縁部と中斜面部５９の右縁部とが前側段差部４７で互いに連なる。右斜面部５８の上を右側から左側に流下した球は、前側段差部４７に衝突して裏側に誘導される。中斜面部５９の上を左側から右側に流下した球は、前側段差部４７から右斜面部５８に落下して前側縦壁４１の裏側に誘導される。
【００１２】
中球受部４３は、遊技盤１３１から排出される入賞球やアウト球と呼ばれる球を受ける部分であり、中斜面部５９から前側に突出する板状であって、前側から裏側に下り傾斜となる斜面部を形成する。外球受部４４は、遊技盤１３１から排出される入賞球やアウト球と呼ばれる球を受ける部分であり、中球受部４３の左縁部および中斜面部５９の前縁部から左側に突出する板状であって、右側から左側に下り傾斜となる斜面部を形成する。外球受部４４の上を左側から右側に流下した球は、中球受部４３から中斜面部５９および右斜面部５８を経由して前側縦壁４１の裏側に誘導される。前側左縦壁４５は、前側縦片部５７の左縁部から裏側に直角に突出する。前側右縦壁４６は、前側縦片部５７の右縁部から裏側に直角に突出する。前側フランジ部４８は、右斜面部５８の前縁部から上方に直角に突出した後に前側に直角に突出する。
【００１３】
位置決め部４９は、前側段差部４７よりも左側に位置し、前側横片部５６の左側部の前面から裏側への窪みを囲むように、前側横片部５６の左側部から裏側に突出する。よって、前側段差部４７に沿って前側縦壁４１から裏側に落下する球は、位置決め部４９に衝突しない。位置決め部５０は、前側横片部５６の下部から裏側に突出し、右側から左側に下り傾斜となる板状である。位置決め部５１は、前側フランジ部４８における右斜面部５８の前縁部から上方に直角に突出した部分の前面から前側に突出した突起として形成される。ねじ挿入部５２は、外球受部４４の裏縁部から下方に突出する突起に、前後方向に貫通した横長孔として形成される。ねじ挿入部５３は、前側縦片部５７の下部に、前後方向への貫通孔として形成される。ねじ挿入部５４は、位置決め部４９の裏壁に、前後方向に貫通した横長孔として形成される。ねじ締結部５５は、前側縦片部５７の左側部および右側部に、前側縦片部５７から裏側に筒状に突出する。
【００１４】
図３を参照し、後側通路構造体４の構造について説明する。図３のａ図に示すように、後側通路構造体４は、後側縦壁６１、右誘導壁６２、下誘導壁６３、後側左縦壁６５、後側右縦壁６４、隔壁部６６、ねじ挿入部６７；６８；６９を、一体に備えた形状である。後側縦壁６１は、前側縦壁４１と前後方向で対向する相似形であって、横長な後側横片部７０と、後側横片部７０の左側部から下方に突出する縦長な後側縦片部７１とを備える。後側横片部７０の上下寸法は、前側横片部５６の上下寸法よりも大きい。右誘導壁６２は、抜球と呼ばれる球を下方に誘導するために、後側横片部７０の右縁部から前側に直角に突出する。下誘導壁６３は、抜球と呼ばれる球を下方に誘導するために、後側横片部７０の下部から前側に直角に突出し、右側から左側に下り傾斜となる斜面を形成する。後側左縦壁６５は、後側縦片部７１の左緑部から前側に直角に突出する。後側右縦壁６４は、後側縦片部７１の右縁部から前側に直角に突出する。隔壁部６６は、後側横片部７０の左縁部から左側に突出し、隔壁部６６の裏面から前側の内部への窪みによって、軽量化されている。ねじ挿入部６７は、後側横片部７０の右側部の下部に、前後方向への貫通孔として形成される。ねじ挿入部６８は、後側横片部７０の左側部の下部に前後方向への貫通孔として形成される。ねじ挿入部６９は、後側縦片部７１の左側部および右側部に、前後方向への貫通孔として形成される。図３のｂ図に示すように、後側フランジ部７２が、後側横片部７０の下縁部から前側に直角に突出する。右誘導壁６２と下誘導壁６３および後側フランジ部７２で囲まれた空間部７３；７４の前面は開口し、空間部７３；７４の後面は後側横片部７０で塞がれる。空間部７３には、図２の位置決め部５０が挿入され、空間部７４には、図１のねじ締結部３３が挿入される。
【００１５】
図１乃至図５を参照し、機外排出装置２の可動枠５への取付方について説明する。図１において、払出球中継樋１５の上壁に設けられた樋側受口１５ａが可動枠５の方向に向けられ、払出球中継樋１５が可動枠５の後側から中継樋収納部２２に嵌め合わされ、樋側受口１５ａが中継樋収納部２２の内部から枠側受口１７に挿入されて枠側受口１７よりも上方に突出される。誘導通路構造体９の球抜通路１０の下開口が方向切替通路１６の上開口を覆うように方向切替通路１６に接続され、誘導通路構造体９の球払出通路１３の下開口が枠側受口１７より上方に突出した樋側受口１５ａを外側から覆うように樋側受口１５ａに接続され、誘導通路構造体９が可動枠５の背壁１９の裏面に取り付けられる。
【００１６】
図１に示すように、可動枠５の前壁２０の裏面に取付台８が取り付けられた状態において、図１および図２において、前側通路構造体３および後側通路構造体４が可動枠５の裏側から可動枠５に取り付けられる。具体的には、前側通路構造体３の中球受部４３と外球受部４４および前側フランジ部４８が可動枠５の方向に向けられ、前側横壁４２の下面が枠側膨出部２１の上側から機外排出取付部２６に搭載され、前側縦壁４１の前面が枠側膨出部２１の裏側から機外排出取付部２６に被せられる。その場合、中球受部４３が凹部３１に嵌め合わされ、外球受部４４が枠側フランジ部３２の上に載せられ、位置決め部４９がねじ締結部３４に嵌め合わされ、位置決め部５１が位置決め部２９に嵌め合わされる。その後、図１に示すタッピングスクリューのような止ねじ７５が、前側通路構造体３の裏側からねじ挿入部５２を経由してねじ締結部３５に締結され、タッピングスクリューのような止ねじ７６が、前側通路構造体３の裏側からねじ挿入部５３を経由してねじ締結部３６に締結される。これによって、前側通路構造体３が、図４に示すように、可動枠５の裏面に取り付けられる。
【００１７】
次に、図１および図３において、後側通路構造体４の右誘導壁６２と下誘導壁６３および隔壁部６６が可動枠５の方向に向けられ、後側通路構造体４の後側縦壁６１が前側縦壁４１および枠側膨出部２１の機外排出取付部２６よりも右側における裏壁２５を後側から覆い、後側通路構造体４の後側縦壁６１が前側縦壁４１を後側から覆うように、後側通路構造体４が前側通路構造体３に被せられる。これによって、後側縦壁６１の上縁部が前側通路構造体３から右側に露出している方向切替通路１６の上開口および前側横壁４２の上面部よりも上方に突出する。後側通路構造体４が前側通路構造体３に被せられる場合、右誘導壁６２の前面が方向切替通路１６の右側を区画する裏壁２５の裏面に接触して重ね合わされ、隔壁部６６の前面が外球受部４４の裏面に接触して重ね合わされ、隔壁部６６の右面が枠側膨出部２１の左開口を塞ぎ、ねじ挿入部６７がねじ締結部３３に裏側から向かい合わせられ、ねじ挿入部６８がねじ挿入部５３を介在してねじ締結部３４に裏側から向かい合わせられ、ねじ挿入部６９がねじ締結部５５に裏側から向かい合わせられ、下誘導壁６３が位置決め部５０の上に載せられる。隔壁部６６の前面が外球受部４４の裏面に接触して重ね合わされ、隔壁部６６の右面が枠側膨出部２１の左開口を塞ぐ。このように隔壁部６６が外球受部４４および枠側膨出部２１に合わせられることによって、隔壁部６６の前面が外球受部４４の上面よりも上方に突出し、隔壁部６６の右面が中斜面部５９の上面よりも上方に突出する。
【００１８】
その後、図１に示すタッビングスクリューのような止ねじ７７が、後側通路構造体４の裏側からねじ挿入部６７を経由してねじ締結部３３に締結され、タッピングスクリューのような止ねじ７８が、後側通路構造体４の裏側からねじ挿入部６８を経由してねじ締結部３４に締結され、タッピングスクリューのような止ねじ７９が、後側通路構造体４の裏側からねじ挿入部６９を経由してねじ締結部５５に締結される。これによって、前側通路構造体３および後側通路構造体４からなる機外排出装置２が、図５に示すように、可動枠５に固定的に取り付けられ、前側横壁４１が誘導通路構造体９の下部を後側から覆い隠す。
【００１９】
図５において、機外排出装置２の後側横片部７０が電源装置６よりも上部に配置され、機外排出装置２の後側縦片部７１が電源装置６と発射払出制御装置７との間の隙間に配置される。機外排出装置２と電源装置６および発射払出制御装置７が可動枠５の裏面に取り付けられることによって、機外排出装置２の裏面が電源装置６および発射払出制御装置７よりも裏側に突出しない配置となる構造である。この機外排出装置２の裏面が電源装置６および発射払出制御装置７よりも裏側に突出しない配置となる構造は、可動枠５の前壁２０の裏面から機外排出装置２の裏面までの寸法が、可動枠５の前壁２０の裏面から電源装置６の裏面までの寸法や可動枠５の前壁２０の裏面から発射払出制御装置７の裏面までの寸法よりも小さく設定されることによって、達成される。
【００２０】
電源装置６および発射払出制御装置７が取付台８に取り付けられるのは、機外排出装置２が可動枠５に取り付けられる前の時点または後の時点にいずれでもよい。球払出装置８１は、可動枠５の裏面における上部の右側に設けられたタンク機構８２の上方に開口した箱形の球貯蔵室８３に貯蔵された球を、球払出機構８４の動作によって、球貯蔵室８３から払出球検出機構８５に１個ずつ払い出し、払い出された球を払出球検出機構８５で電気的に検出し、検出された球を球払出通路１３から下方に排出する。また、球払出通路１３の上部は、球抜通路１０の上部がつながっている。球抜通路１０の上部と球抜通路１０の上部とがつながった部分には、通路切替弁８６が設けられる。通路切替弁８６は、通常は、球払出通路１３を開放するとともに球抜通路１０を閉鎖し、払出球検出機構８５を通過した球が球抜通路１０を流下しないで球払出通路１３を流下する。そして、人が図外の球抜スイッチを操作すると、球抜スイッチの信号が受信した制御装置が通路切替弁８６を駆動する電磁ソレノイドのような駆動源を駆動し、電磁ソレノイドが通路切替弁８６を動かす。これによって、通路切替弁８６が球払出通路１３を閉鎖するとともに球抜通路１０を開放し、払出球検出機構８５を通過した球が球払出通路１３を流下しないで球抜通路１０を流下する。
【００２１】
図６において、前側通路構造体３および後側通路構造体４からなる機外排出装置２が可動枠５に固定的に取り付けられることによって、前側縦壁４１と後側横片部７０との間には横排出通路９１が上方に開ロした態様で形成され、前側縦壁４１と後側縦片部７１との間には縦排出通路９２が横排出通路９１の左側につながって上下方向に開口した態様で形成される。これによって、前側横壁４２に落下した賞球やアウト球からなる球は、前側段差部４７に衝突して前側から裏側に流れて横排出通路９１に落下する。中球受部４３または外球受部４４に落下した入賞部品から排出された入賞球やアウト球からなる球は、中球受部４３または外球受部４４よりも上方に突出した隔壁部６６に沿い、中斜面部５９を右斜面部５８の方向に流れて前側段差部４７から前側横壁４２に落下し、前側横壁４２から前側段差部４７に沿って裏側に流れて横排出通路９１に落下する。また、球抜通路１０から方向切替通路１６に落下した抜球なる球は、方向切替通路１６から横排出通路９１に落下する。横排出通路９１に落下した球は、横排出通路９１から縦排出通路９２を経由して機外に排出される。
【００２２】
図７に示すように、機外排出装置２と電源装置６および発射払出制御装置７が可動枠５の裏面に取り付けられることによって、機外排出装置２の裏面が電源装置６および発射払出制御装置７よりも裏側に突出しない配置となることによって、機外排出装置２の縦排出通路９２が電源装置６と発射払出制御装置７との間の隙間に配置され、機外排出装置２が可動枠５の前壁２０から裏側に突出する量が電源装置６および発射払出制御装置７よりも後側に突出しないように抑制される。これによって、遊技機枠１が遊技店の島と呼ばれる図外の遊技機設置構造体の取り付けられた場合、機外排出装置２が遊技機設置構造体に設けられた付帯設備に干渉しないという利点がある。その理由は、遊技機枠１を構成する場合、電源装置６および発射払出制御装置７が遊技機枠１の取り付けられる遊技機設置構造体に設けられた付帯設備に干渉しないように構成されるので、機外排出装置２の裏面が電源装置６および発射払出制御装置７よりも裏側に突出しなければ、機外排出装置２が遊技機設置構造体に設けられた付帯設備に干渉しないからである。横排出通路９１と縦排出通路９２とが前側通路構造体３と前側通路構造体４とから構成され、前側通路構造体３が可動枠５の裏側に取り付けられ、後側通路構造体４が前側通路構造体３に取り付けられたので、横排出通路９１と縦排出通路９２とが一体の通路構造体から構成された場合に比べ、機外排出装置２の構造が簡単となるという利点がある。
【００２３】
図８を参照し、機外排出装置２を使用したパチンコ機の構造について説明する。パチンコ機の遊技機枠１は、固定枠１０２の前側に可動枠５を左側のヒンジ１０３で横方向に片開き可能に取り付け、可動枠５の前側にパネル枠１０４および球皿構造体１０５を左側のヒンジ１０６で横方向に片開き可能に取り付けた、構造である。固定枠１０２は、パチンコ店の図外の遊技機設置構造体に取り付けるための外枠とも呼ばれ、前後方向に貫通した縦長な長方形の空間を囲む額縁形状である。可動枠５は、遊技盤１３１を装着する前側に開口した盤収納室１８の背壁１９に前後方向に貫通する中央開口部１０７を備える。可動枠５の右縦片部には、施錠装置１０８と複数のロック機構１０９；１１０；１１１およびロック解除操作体１１２が設けられる。
【００２４】
背壁１９の左縦片部には、枠側ヒンジ１１３と枠側コネク夕１１４が設けられる。枠側ヒンジ１１３は、遊技盤１３１を取り付けるものであって、背壁１９に固定的に設けられたヒンジ躯体の前側に折り曲げられた支持部から上方に突出したヒンジピンを備える。枠側コネクタ１１４は、遊技機枠１に設けられた電気部品と遊技盤１３１に設けられた電気部品とを接続するものであって、コネクタピンと呼ばれる電気接続講端子が背壁１９の裏側から背壁１９に設けられたコネクタ孔を経由して背壁１９の前側に突出し、電気接続端子を支持する合成樹脂からなるコネクタボディが背壁１９の裏面に固定される。背壁１９の右縦片部には、盤ロック構造体１１５が設けられる。盤ロック構造体１１５は、背壁１９から前側に突出する円筒状の台座の中心にロック操作部１１６を回転可能に備える。ロック操作部１１６は、台座から前側に突出した操作軸の端部に固定された横長な形態である。
【００２５】
盤収納室１８の下縁部は、遊技盤１３１を搭載する左右方向に平坦な面としての盤棚２７を形成する。盤棚２７から下方に延設された可動枠５における前壁２０には、球発射機構１１７、球発射レール１１８、ファール球取入口１１９、払出球中継樋１５が前面に設けられ、機外排出装置２が裏面に設けられる。球発射レール１１８は、球皿構造体１０５の球供給口１２５から供給された１個の球を受取る。球発射機構１１７は、電力供給と遮断とを交互に受けることによって、球皿部１２２から球発射レール１１８に供給された球を遊技盤１３１の遊技領域に向けて１個ずつ発射する。球発射レール１１８は、球発射機構１１７から発射された球を、遊技盤１３１における発射通路の入口に誘導する。パネル枠１０４は、前後方向に貫通する窓１２０を囲む額縁形状である。パネル枠１０４には、前面パネル１２１が窓１２０を覆う格好で裏面に取り付けられる。前面パネル１２１は、光を透過する性質の有るガラスまたは合成樹脂などの材料からなる板状である。球皿構造体１０５は、球皿部１２２および球発射操作機構１２３を前面に備え、球取入口１２４および球供給口１２５を裏面に備える。球皿部１２２は、遊技に使用する球を受ける上方に開口した上方から下方に窪む容器である。球発射操作機構１２３は、遊技者が球を発射するために操作するものである。球取入口１２４は、払出球中継樋１５から排出された球を球皿部１２２に供給する部分である。球供給口１２５は、球皿部１２２から球発射機構１１７に球を供給する部分である。
【００２６】
遊技機枠１では、可動枠５やパネル枠１０４および球皿構造体１０５が閉じられてロック機構１０９；１１０；１１１で開閉不能に支持された場合、遊技店の店員が図外のキープレート（鍵）を遊技機枠１の前側から施錠装置１０８の鍵穴１２６に挿入し、当該キープレートを例えば右側に９０度回転操作すると、固定枠１０２と可動枠５とのロック機構１０９による支持形態が解除される。この支持形態の解除後に、店員が可動枠５を前側に引くことによって、可動枠５はヒンジ１０３を回転中心として前側に片開きされる。また、上記施錠装置１０８の鍵穴１２６に挿入されたキープレートが例えば左側に９０度回転操作されると、可動枠５とパネル枠１０４とのロック機構１１０による支持形態が解除される。この支持形態の解除後に、店員がパネル枠１０４を前側に引くことによって、パネル枠１０４はヒンジを回転中心として前側に片開きされる。このように、パネル枠１０４が前側に開かれた状態において、店員が可動枠５の前面に設けられたロック解除操作体１１２を操作すると、可動枠５と球皿構造体１０５とのロック機構１１１による支持形態が解除される。この支持形態の解除後に、店員が球皿構造体１０５を前側に引くことによって、球皿構造体１０５はヒンジ１０６を回転中心として前側に片開きされる。
【００２７】
遊技盤１３１の裏面には、盤側ヒンジ１３２および球案内構造体１３３が設けられる。盤側ヒンジ１３２は、遊技盤１３１を可動枠５に取り付けるものであって、遊技盤１３１の左側部に固定的に取りけられたヒンジ駆体の前側に折り曲げられた支持部に上下方向に貫通したヒンジ孔を備える。球案内構造体１３３は、セット板とも呼ばれ、遊技盤１３１の前面における図外のガイドレールで囲まれた内側の遊技領域から入賞部品やアウト口に取り込まれて遊技盤１３１の裏側に排出された球を、下方に誘導して排出する。遊技盤１３１の裏側には、遊技盤１３１の前面に設けられた遊技部品の裏機構が、遊技盤１３１に形成された図外の逃孔や球案内構造体１３３に形成された逃孔１３４を経由して突出する。遊技盤１３１の裏側に突出した裏機構を有する遊技部品は、複数の図柄表示器１３５；１３６、可動部品１３７、図外の複数の入賞部品、図外のサイドランプなどである。図柄表示器１３５は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置１３８を備える。図柄表示器１３６は、遊技領域の右側下部に設けられ、複数の図柄の印刷された図柄表示体をステップモータで回転する構造であって、裏機構としてステップモータを備える。図柄表示器１３６、可動部品１３７、図外のサイドランプは、遊技盤１３１の遊技領域に設けられ、図柄表示器１３５の表示画面に表示された画像は、遊技盤１３１の前側から見えるように、図柄表示器１３５は、遊技盤１３１に設けられる。
【００２８】
球案内構造体１３３の裏面には、盤側配線１３９と主制御装置１４０および複合制御装置１４１が設けられる。盤側配線１３９は、遊技盤１３１に設けられた電気部品と遊技機枠１に設けられた電気部品とを接続する多数本の箔形状の電線および箔形状の電極１４２が、可撓生を有する合成樹脂基板の表面に付設された構造である。電極１４２は、枠側コネクタ１１４のコネクタピンと対応する個数のラウンドと呼ばれるものであって、各電極１４２からは上記箔形状の電線が個別に延設される。盤側配線１３９における電線の表面は、レジスト膜のような電気絶縁材で被覆され、人の接触から保護される。遊技盤１３１の右側部には、ロック取付部１４３を備える。ロック取付部１４３には、ロック挿入孔１４４が前後方向への貫通孔して設けられる。
【００２９】
そして、遊技盤１３１の前面が前側に向けられ、遊技盤１３１の盤側ヒンジ１３２の設けられた右側部が遊技機枠１の前側から盤収納室１８に挿入され、盤側ヒンジ１３２のヒンジ孔が枠側ヒンジ１１３のヒンジピンに上方から挿入されると、遊技盤１３１が遊技機枠１に盤側ヒンジ１３２と枠側ヒンジ１１３とを中心として横方向に回転可能に取り付けられる。その後、遊技盤１３１の右側部が遊技機枠１の方に押されると、盤ロック構造体１１５のロック操作部１１６が遊技盤１３１の取付部のロック挿入孔１４４に後側から挿入されて前側に突出する。その状態において、作業者がロック操作部１１６を例えば左方向に９０度回転操作すると、ロック操作部１１６がロック挿入孔１４４の周りにおけるロック取付部１４３の前面に係合し、遊技盤１３１が盤収納室１８に取り付けられる。遊技盤１３１が取り付けられた後、パネル枠１０４が閉じられる。これによって、パチンコ機が構成される。このパチンコ機は、遊技盤１３１が遊技機枠１の内部に格納され、遊技盤１３１の前側がパネル枠１０４で覆われ、遊技盤１３１の遊技領域が遊技機枠１の前側から前面パネル１２１を通して視認し得る形態である。
【産業上の利用可能性】
【００３０】
遊技機枠１と遊技盤１３１とが枠側ヒンジ１１３と盤側ヒンジ１３２とからなるヒンジで回転可能に取り付けられていない構造であってもよい。遊技機枠１に設けられた電気部品と遊技盤１３１に設けられた電気部品とを接続する構造は、枠側コネクタ１１４と電極１４２とからなる以外の接続構造であってもよい。遊技機としては、球を遊技媒体として使用するスロットマシンであってもよい。横排出通路９１と縦排出通路９２とが、前側通路構造体３と後側通路構造体４との組み合わさったような単一の通路構造体で形成されてもよい。横排出通路９１は、遊技機枠１から排出される球を遊技機枠１の左側部から中央の方向に向けて誘導する構造であってもよい。
【図面の簡単な説明】
【００３１】
【図１】遊技機の機外排出装置を裏側から示す分解斜視図（最良の形態）。
【図２】前側通路構造体を裏側から示す斜視図（最良の形態）。
【図３】後側通路構造体を示し、ａ図は裏側からの斜視図、ｂ図は前側からの斜視図（最良の形態）。
【図４】前側通路構造体を備える可動枠を後側から示す斜視図（最良の形態）。
【図５】機外排出装置を備える可動枠を後側から示す斜視図（最良の形態）。
【図６】図５のＢ−Ｂ線断面図（最良の形態）。
【図７】図５のＣ−Ｃ線断面図（最良の形態）。
【図８】遊技機枠と遊技盤とを示す分解斜視図（最良の形態）。
【符号の説明】
【００３２】
１    遊技機枠
２    機外排出装置
３    前側通路構造体
４    後側通路構造体
５    可動枠
６    電源装置（電気部品）
７    発射払出制御装置（電気部品）
９１  横排出通路
９２  縦排出通路
【図１】
2006174888.tif 000003
【図２】
2006174888.tif 000004
【図３】
2006174888.tif 000005
【図４】
2006174888.tif 000006
【図５】
2006174888.tif 000007
【図６】
2006174888.tif 000008
【図７】
2006174888.tif 000009
【図８】
2006174888.tif 000010